(57)【要約】【課題】自動車を運転しながらでも、ブラウザ機能による情報を入手可能な移動通信システムを提供する。【解決手段】ＭＳ１１ａはＰＣ１２において作成されたメッセージをＢＳ７ａ及びＲＮＣ６ａを介してＭＳＣ３ａに送る。ＭＳＣ３ａではＳＭＳ一斉配信メッセージの解析処理、ＨＬＲ４ａを介したＭＳＣ３ａ内に在圏するＭＳ８ａ〜１０ａの検索、ＳＭＳ一斉配信メッセージの作成、ＩＷＭＳＣ２ａを介したＳＭＳＣ１へのメッセージ送信をそれぞれ行う。ＳＭＳＣ１から受信側のＭＳ８ａ〜１０ａへのＳＭＳ一斉配信メッセージの送信時に、ＧＭＳＣ２ａはＨＬＲ４ａへの問合せを行うことによって送信したＭＳ１１ａと同じＭＳＣ３ａ内の在圏のＭＳ８ａ〜１０ａを取得する。ＧＭＳＣ２ａは送信データ先のＭＳが在圏していれば、そのＭＳへＳＭＳの送信を行う。【選択図】      図１
2004363837.tif 000002
【特許請求の範囲】
【請求項１】
ショートメッセージを受信するためのＳＭＳ（Ｓｈｏｒｔ  Ｍｅｓｓａｇｅ  Ｓｅｒｖｉｃｅ）機能と、外部に音を出力するための音源とを備えた携帯移動端末と、前記ショートメッセージを圏内の携帯移動端末に無線にて配信するＭＳＣ（Ｍｏｂｉｌｅ  Ｓｗｉｔｃｈｉｎｇ  Ｃｅｎｔｅｒ）とを含む移動通信システムであって、
前記圏内の携帯移動端末に一斉配信するＳＭＳ一斉配信データが前記携帯移動端末から送られてきた時に当該ＳＭＳ一斉配信データを予め設定されたフォーマット形式に変換して少なくとも不特定多数にメッセージを一斉配信する配信手段を前記ＭＳＣに有し、
前記ＭＳＣから一斉配信された前記メッセージを前記音源を用いて再生する再生手段を前記携帯移動端末に有することを特徴とする移動通信システム。
【請求項２】
前記携帯移動端末の位置情報を登録するＨＬＲ（Ｈｏｍｅ  Ｌｏｃａｔｉｏｎ  Ｒｅｇｉｓｔｅｒ）を含み、
前記配信手段は、前記ＨＬＲの位置登録情報から加入者情報を入手して前記不特定多数に一斉配信することを特徴とする請求項１記載の移動通信システム。
【請求項３】
前記メッセージを配信すべき携帯移動端末が前記ＭＳＣの圏外の時に当該メッセージを破棄する手段を前記ＭＳＣに含むことを特徴とする請求項１または請求項２記載の移動通信システム。
【請求項４】
前記携帯移動端末が前記ＭＳＣ内に在圏しているか否かを確認するためのＳＣＰ（Ｓｅｒｖｉｃｅ  Ｃｏｎｔｒｏｌ  Ｐｏｉｎｔ）を含むことを特徴とする請求項１から請求項３のいずれか記載の移動通信システム。
【請求項５】
前記フォーマット形式は、一斉配信すべきメッセージか否かを示す一斉配信表示を含むことを特徴とする請求項１から請求項４のいずれか記載の移動通信システム。
【請求項６】
前記フォーマット形式は、一斉配信すべきメッセージを強制的に配信すべきか否かを示す強制配信フラグを含むことを特徴とする請求項１から請求項５のいずれか記載の移動通信システム。
【請求項７】
前記メッセージを放送用の文章に展開する手段と、前記放送用の文章を前記音源用のデータに変換する手段とを前記携帯移動端末に含むことを特徴とする請求項１から請求項６のいずれか記載の移動通信システム。
【請求項８】
ショートメッセージを受信するためのＳＭＳ（Ｓｈｏｒｔ  Ｍｅｓｓａｇｅ  Ｓｅｒｖｉｃｅ）機能と、外部に音を出力するための音源とを備えた携帯移動端末に無線にて前記ショートメッセージを配信するＭＳＣ（Ｍｏｂｉｌｅ  Ｓｗｉｔｃｈｉｎｇ  Ｃｅｎｔｅｒ）であって、
前記圏内の携帯移動端末に一斉配信するＳＭＳ一斉配信データが前記携帯移動端末から送られてきた時に当該ＳＭＳ一斉配信データを予め設定されたフォーマット形式に変換する手段と、前記携帯移動端末において前記音源を用いて再生される前記フォーマット形式のメッセージを少なくとも不特定多数に一斉配信する配信手段とを有することを特徴とするＭＳＣ。
【請求項９】
前記配信手段は、前記携帯移動端末の位置情報を登録するＨＬＲ（Ｈｏｍｅ  Ｌｏｃａｔｉｏｎ  Ｒｅｇｉｓｔｅｒ）の位置登録情報から加入者情報を入手して前記不特定多数に一斉配信することを特徴とする請求項８記載のＭＳＣ。
【請求項１０】
前記メッセージを配信すべき携帯移動端末が圏外の時に当該メッセージを破棄する手段を含むことを特徴とする請求項８または請求項９記載のＭＳＣ。
【請求項１１】
ＳＣＰ（Ｓｅｒｖｉｃｅ  Ｃｏｎｔｒｏｌ  Ｐｏｉｎｔ）を用いて前記携帯移動端末が在圏しているか否かを確認することを特徴とする請求項８から請求項１０のいずれか記載のＭＳＣ。
【請求項１２】
前記フォーマット形式は、一斉配信すべきメッセージか否かを示す一斉配信表示を含むことを特徴とする請求項８から請求項１１のいずれか記載のＭＳＣ。
【請求項１３】
前記フォーマット形式は、一斉配信すべきメッセージを強制的に配信すべきか否かを示す強制配信フラグを含むことを特徴とする請求項８から請求項１２のいずれか記載のＭＳＣ。
【請求項１４】
ＭＳＣ（Ｍｏｂｉｌｅ  Ｓｗｉｔｃｈｉｎｇ  Ｃｅｎｔｅｒ）から無線にて配信されるショートメッセージを受信するためのＳＭＳ（Ｓｈｏｒｔ  Ｍｅｓｓａｇｅ  Ｓｅｒｖｉｃｅ）機能と、外部に音を出力するための音源とを含む携帯移動端末であって、
前記ＭＳＣの圏内の端末に一斉配信するＳＭＳ一斉配信データを前記ＭＳＣに送信する手段と、
前記ＭＳＣが前記ＳＭＳ一斉配信データを予め設定されたフォーマット形式に変換して少なくとも不特定多数に一斉配信するメッセージを前記音源を用いて再生する再生手段とを有することを特徴とする携帯移動端末。
【請求項１５】
前記フォーマット形式は、一斉配信すべきメッセージか否かを示す一斉配信表示を含むことを特徴とする請求項１４記載の携帯移動端末。
【請求項１６】
前記フォーマット形式は、一斉配信すべきメッセージを強制的に配信すべきか否かを示す強制配信フラグを含むことを特徴とする請求項１４または請求項１５記載の携帯移動端末。
【請求項１７】
前記メッセージを放送用の文章に展開する手段と、前記放送用の文章を前記音源用のデータに変換する手段とを含むことを特徴とする請求項１４から請求項１６のいずれか記載の携帯移動端末。
【請求項１８】
ショートメッセージを受信するためのＳＭＳ（ＳｈｏｒｔＭｅｓｓａｇｅ  Ｓｅｒｖｉｃｅ）機能と、外部に音を出力するための音源とを備えた携帯移動端末に無線にて前記ショートメッセージを配信するＭＳＣ（Ｍｏｂｉｌｅ  Ｓｗｉｔｃｈｉｎｇ  Ｃｅｎｔｅｒ）を含む移動通信システムのメッセージ一斉配信方法であって、前記ＭＳＣ側に、前記圏内の携帯移動端末に一斉配信するＳＭＳ一斉配信データが前記携帯移動端末から送られてきた時に当該ＳＭＳ一斉配信データを予め設定されたフォーマット形式に変換するステップと、前記携帯移動端末において前記音源を用いて再生される前記フォーマット形式のメッセージを少なくとも不特定多数に一斉配信するステップとを有することを特徴とするメッセージ一斉配信方法。
【請求項１９】
前記メッセージを一斉配信するステップは、前記携帯移動端末の位置情報を登録するＨＬＲ（Ｈｏｍｅ  Ｌｏｃａｔｉｏｎ  Ｒｅｇｉｓｔｅｒ）の位置登録情報から加入者情報を入手して前記不特定多数に一斉配信することを特徴とする請求項１８記載のメッセージ一斉配信方法。
【請求項２０】
前記ＭＳＣ側に、前記メッセージを配信すべき携帯移動端末が圏外の時に当該メッセージを破棄するステップを含むことを特徴とする請求項１８または請求項１９記載のメッセージ一斉配信方法。
【請求項２１】
前記ＭＳＣは、ＳＣＰ（Ｓｅｒｖｉｃｅ  ＣｏｎｔｒｏｌＰｏｉｎｔ）を用いて前記携帯移動端末が在圏しているか否かを確認することを特徴とする請求項１８から請求項２０のいずれか記載のメッセージ一斉配信方法。
【請求項２２】
前記フォーマット形式は、一斉配信すべきメッセージか否かを示す一斉配信表示を含むことを特徴とする請求項１８から請求項２１のいずれか記載のメッセージ一斉配信方法。
【請求項２３】
前記フォーマット形式は、一斉配信すべきメッセージを強制的に配信すべきか否かを示す強制配信フラグを含むことを特徴とする請求項１８から請求項２２のいずれか記載のメッセージ一斉配信方法。
【請求項２４】
前記携帯移動端末は、前記メッセージを放送用の文章に展開し、その放送用の文章を前記音源用のデータに変換することを特徴とする請求項１８から請求項２３のいずれか記載のメッセージ一斉配信方法。
【発明の詳細な説明】
【０００１】
【発明の属する技術分野】
本発明は移動通信システム、ＭＳＣ、携帯移動端末及びそれらに用いるメッセージ一斉配信方法に関し、特に移動通信システムにおける交通渋滞情報等の情報配信方法に関する。
【０００２】
【従来の技術】
近年、携帯移動端末においては、音声通話機能の他に、電子メールの送受信機能、インタネットを閲覧するためのブラウザ機能、静止画や動画を撮影するためのカメラ機能等、様々な機能が搭載されるようになってきている。
【０００３】
つまり、従来の携帯移動端末では、上記のブラウザ機能を動作させてインタネットを閲覧することで、移動しながら、より多くの情報を入手することができるようになってきている。
【０００４】
しかしながら、上記の携帯移動端末では、自動車等に乗りながら、ブラウザ機能を用いて情報を入手しようとしても、ブラウザ機能を動作させるために複雑な操作が必要となるので、大変不便である。
【０００５】
例えば、自動車等に乗りながら交通情報を得ようとした場合には、ＡＭ（Ａｍｐｌｉｔｕｄｅ  Ｍｏｄｕｌａｔｉｏｎ）ラジオ放送等によって、その地域の交通渋滞情報を得ることができる。
【０００６】
また、上記の携帯移動端末に配設されたＳＭＳ（Ｓｈｏｒｔ  ＭｅｓｓａｇｅＳｅｒｖｉｃｅ）機能を利用することで、ショートメッセージに交通情報を内在させ、カーナビと連動させて地域単位での交通情報を配信する方法が提案されている（例えば、特許文献１参照）。
【０００７】
【特許文献１】
特開２００１−８４４７８号公報（第３〜５頁、図１）
【０００８】
【発明が解決しようとする課題】
上述した交通情報については、ＡＭラジオ放送等で得ることができるが、その地域の交通渋滞情報等の限定された地域のみの情報しか得ることができない。
【０００９】
また、携帯移動端末では、それに搭載されたブラウザ機能を用いることで、有料のコンテンツを見ることができ、上記のＡＭラジオ放送等よりも広い範囲の情報を入手することが可能であるが、その情報を得るために複数回のキー操作を行わなければならず、車を運転しながらその情報を見ることができない。
【００１０】
そこで、本発明の目的は上記の問題点を解消し、自動車を運転しながらでも、ブラウザ機能による情報を入手することができる移動通信システム、ＭＳＣ、携帯移動端末及びそれらに用いるメッセージ一斉配信方法を提供することにある。
【００１１】
【課題を解決するための手段】
本発明による移動通信システムは、ショートメッセージを受信するためのＳＭＳ（Ｓｈｏｒｔ  Ｍｅｓｓａｇｅ  Ｓｅｒｖｉｃｅ）機能と、外部に音を出力するための音源とを備えた携帯移動端末と、前記ショートメッセージを圏内の携帯移動端末に無線にて配信するＭＳＣ（Ｍｏｂｉｌｅ  Ｓｗｉｔｃｈｉｎｇ  Ｃｅｎｔｅｒ）とを含む移動通信システムであって、
前記圏内の携帯移動端末に一斉配信するＳＭＳ一斉配信データが前記携帯移動端末から送られてきた時に当該ＳＭＳ一斉配信データを予め設定されたフォーマット形式に変換して少なくとも不特定多数にメッセージを一斉配信する配信手段を前記ＭＳＣに備え、
前記ＭＳＣから一斉配信された前記メッセージを前記音源を用いて再生する再生手段を前記携帯移動端末に備えている。
【００１２】
本発明によるＭＳＣは、ショートメッセージを受信するためのＳＭＳ（Ｓｈｏｒｔ  Ｍｅｓｓａｇｅ  Ｓｅｒｖｉｃｅ）機能と、外部に音を出力するための音源とを備えた携帯移動端末に無線にて前記ショートメッセージを配信するＭＳＣ（Ｍｏｂｉｌｅ  Ｓｗｉｔｃｈｉｎｇ  Ｃｅｎｔｅｒ）であって、
前記圏内の携帯移動端末に一斉配信するＳＭＳ一斉配信データが前記携帯移動端末から送られてきた時に当該ＳＭＳ一斉配信データを予め設定されたフォーマット形式に変換する手段と、前記携帯移動端末において前記音源を用いて再生される前記フォーマット形式のメッセージを少なくとも不特定多数に一斉配信する配信手段とを備えている。
【００１３】
本発明による携帯移動端末は、ＭＳＣ（Ｍｏｂｉｌｅ  Ｓｗｉｔｃｈｉｎｇ  Ｃｅｎｔｅｒ）から無線にて配信されるショートメッセージを受信するためのＳＭＳ（Ｓｈｏｒｔ  Ｍｅｓｓａｇｅ  Ｓｅｒｖｉｃｅ）機能と、外部に音を出力するための音源とを含む携帯移動端末であって、
前記ＭＳＣの圏内の端末に一斉配信するＳＭＳ一斉配信データを前記ＭＳＣに送信する手段と、
前記ＭＳＣが前記ＳＭＳ一斉配信データを予め設定されたフォーマット形式に変換して少なくとも不特定多数に一斉配信するメッセージを前記音源を用いて再生する再生手段とを備えている。
【００１４】
本発明によるメッセージ一斉配信方法は、ショートメッセージを受信するためのＳＭＳ（Ｓｈｏｒｔ  Ｍｅｓｓａｇｅ  Ｓｅｒｖｉｃｅ）機能と、外部に音を出力するための音源とを備えた携帯移動端末に無線にて前記ショートメッセージを配信するＭＳＣ（Ｍｏｂｉｌｅ  Ｓｗｉｔｃｈｉｎｇ  Ｃｅｎｔｅｒ）を含む移動通信システムのメッセージ一斉配信方法であって、前記ＭＳＣ側に、前記圏内の携帯移動端末に一斉配信するＳＭＳ一斉配信データが前記携帯移動端末から送られてきた時に当該ＳＭＳ一斉配信データを予め設定されたフォーマット形式に変換するステップと、前記携帯移動端末において前記音源を用いて再生される前記フォーマット形式のメッセージを少なくとも不特定多数に一斉配信するステップとを備えている。
【００１５】
すなわち、本発明の移動通信システムにおいては、携帯移動端末においてブラウザ機能を用いて得られる情報を、自動車での移動中等でも容易に得ることを可能とすることを特徴とする。
【００１６】
本発明の移動通信システムでは、既存のシステムであるＳＭＳ（Ｓｈｏｒｔ  Ｍｅｓｓａｇｅ  Ｓｅｒｖｉｃｅ）機能を利用して上記の交通渋滞情報等の情報を伝達し、携帯移動端末に広く復旧している音源を利用することで、それらの情報を音声で再生することによって、自動車の運転をしながらでも、携帯移動端末から情報を入手可能としている。
【００１７】
一般的には、上記のシステムを携帯移動端末に組込む場合には、ハードウェア／ソフトウェアを含めたコストが高くかかる。本発明の移動通信システムでは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）／ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）等で既存のシステムであるＳＭＳ機能を改良することによって、交通渋滞情報等の配信機能を実現している。
【００１８】
また、日本等で広く普及している携帯移動端末の機能には、着信メロディの再生機能がある。本発明の移動通信システムでは、その着信メロディの再生用として組込まれている音源を利用し、上記のＳＭＳ機能によって得た交通渋滞情報等を、ＡＭラジオのように、音声にて放送可能としている。
【００１９】
さらに、本発明の移動通信システムでは、携帯移動端末が位置登録を行った地域毎に、その地域の情報を放送することが可能であり、ユーザのキー操作による有効設定がなくとも、有事の公共情報を放送することも可能である。
【００２０】
一方、本発明の移動通信システムでは、ＳＭＳ送信を行う主装置において、圏外となった携帯移動端末へのＳＭＳ送信をキャンセルする機能と、配信予定でない、すなわち他の地域より移動してきた携帯移動端末に対してもＳＭＳ送信を可能としている。
【００２１】
また、本発明の移動通信システムでは、携帯移動端末に対してＳＭＳ送信する際に送信先を特定せずに送信し、ＳＭＳ送信を行う主装置において、在圏する携帯移動端末を検索し、在圏する携帯移動端末すべてにＳＭＳメッセージを自動的に送信可能としている。
【００２２】
【発明の実施の形態】
次に、本発明の実施例について図面を参照して説明する。図１は本発明の一実施例による移動通信システムの構成を示すブロック図である。図１において、本発明の一実施例による移動通信システムは、地域Ａ，Ｂにおいて、ＧＭＳＣ（Ｇａｔｅｗａｙ  Ｍｏｂｉｌｅ  Ｓｗｉｔｃｈｉｎｇ  Ｃｅｎｔｅｒ）／ＩＷＭＳＣ（Ｉｎｔｅｒ  Ｗｏｒｋｉｎｇ  Ｍｏｂｉｌｅ  Ｓｗｉｔｃｈｉｎｇ  Ｃｅｎｔｅｒ）２ａ，２ｂと、ＭＳＣ（Ｍｏｂｉｌｅ  Ｓｗｉｔｃｈｉｎｇ  Ｃｅｎｔｅｒ）３ａ，３ｂと、ＨＬＲ（Ｈｏｍｅ  Ｌｏｃａｔｉｏｎ  Ｒｅｇｉｓｔｅｒ）４ａ，４ｂと、ＳＣＰ（Ｓｅｒｖｉｃｅ  Ｃｏｎｔｒｏｌ  Ｐｏｉｎｔ）５ａ，５ｂと、ＲＮＣ（Ｒａｄｉｏ  Ｎｅｔｗｏｒｋ  Ｃｏｎｔｒｏｌｌｅｒ）６ａ，６ｂと、ＢＳ（Ｂａｓｅ  Ｓｔａｔｉｏｎ）７ａ，７ｂと、携帯移動端末［以下、ＭＳ（Ｍｏｂｉｌｅ  Ｓｔａｔｉｏｎ）とする］８ａ〜１１ａ，８ｂ〜１１ｂとから構成されている。
【００２３】
ＧＭＳＣ／ＩＷＭＳＣ２ａ，２ｂはそれぞれＳＭＳＣ（Ｓｈｏｒｔ  Ｍｅｓｓａｇｅ  Ｓｅｒｖｉｃｅ  Ｃｏｎｔｒｏｌｌｅｒ）１に接続され、ＭＳ１１ａ，８ｂはそれぞれＰＣ（Ｐｅｒｓｏｎａｌ  Ｃｏｍｐｕｔｅｒ）１２，１４に接続可能となっている。ＰＣ１２，１４は図示せぬインタネットを通してサーバ１３に接続可能となっている。
【００２４】
図２は本発明の一実施例で用いるＳＭＳデータのフォーマットを示す図である。図２（ａ）はＳＭＳ一斉配信データＣのフォーマットを示し、図２（ｂ）はＳＭＳデータＤのフォーマットを示している。
【００２５】
これらの図において、ＳＭＳ一斉配信データＣは「ＣＰ−Ｕｓｅｒ  ＤａｔａＩＥＩ」と、「Ｌｅｎｇｔｈ  ｉｎｄｉｃａｔｏｒ」と、「ＲＰＤＵ（一斉配信表示）Ｃ１」と、「ＲＰＤＵ（強制放送フラグ）Ｃ２」と、「ＲＰＤＵ（ｏｃｔ１  ユーザデータ）」と、「ＲＰＤＵ  Ｍａｘｉｍｕｍ  ｌｅｎｇｔｈ  ２４８  ｏｃｔｅｔｓ」とからなっている。
【００２６】
ＳＭＳデータＤは「ＣＰ−Ｕｓｅｒ  Ｄａｔａ  ＩＥＩ」と、「Ｌｅｎｇｔｈｉｎｄｉｃａｔｏｒ」と、「ＲＰＤＵ（ｏｃｔ１  ユーザデータ）」と、「ＲＰＤＵ（ｏｃｔ２  ユーザデータ）」と、「ＲＰＤＵ（ｏｃｔ３  ユーザデータ）」と、「ＲＰＤＵ  Ｍａｘｉｍｕｍ  ｌｅｎｇｔｈ  ２４８  ｏｃｔｅｔｓ」とからなっている。
【００２７】
本実施例では、サーバ１３に交通情報等の情報を作成登録しておき、一定の間隔にインタネットを介してＰＣ１２，１４に通知にする。ＰＣ１２，１４は受信したデータをＳＭＳ一斉配信データＣのフォーマット形式［図２（ａ）参照］に変換する。
【００２８】
ＭＳ１１ａではＰＣ１２において作成されたメッセージを図５に示すＳＭＳ一斉配信の手順にしたがって、ＢＳ７ａ及びＲＮＣ６ａを介してＭＳＣ３ａに送る。ＭＳＣ３ａではＳＭＳ一斉配信メッセージの解析処理、ＨＬＲ４ａを介したＭＳＣ３ａ内に在圏するＭＳ８ａ〜１０ａの検索、ＳＭＳ一斉配信メッセージの作成、ＩＷＭＳＣ２ａを介したＳＭＳＣ１へのメッセージ送信をそれぞれ行う。
【００２９】
また、ＳＭＳＣ１から受信側のＭＳ８ａ〜１０ａへのＳＭＳ一斉配信メッセージの送信時の構成は、ＧＭＳＣ２ａとＨＬＲ４ａとから構成される。ＧＭＳＣ２ａはＨＬＲ４ａへの問合せを行うことによって送信したＭＳ１１ａと同じＭＳＣ３ａ内の在圏のＭＳ８ａ〜１０ａを取得する。ＧＭＳＣ２ａは送信データ先のＭＳが在圏していれば、そのＭＳへＳＭＳの送信を行い、送信データ先のＭＳがそのＭＳＣ３ａに対して圏外の場合にメッセージを破棄する。
【００３０】
図３は図１のＭＳＣの構成を示すブロック図である。図３において、ＭＳＣ３はＳＭＳ受信処理部３１と、ＳＭＳ一斉配信解析処理部３２と、在圏加入者情報検索処理部３３と、ＳＭＳメッセージ作成処理部３４とから構成されている。尚、ＭＳＣ３ａ，３ｂはこのＭＳＣ３と同様の構成となっている。
【００３１】
ＳＭＳ一斉配信解析処理部３２はＳＭＳ受信処理部３１にてＳＭＳデータを受信すると、そのＳＭＳデータが放送用のＳＭＳか、個人に送信するＳＭＳかを解析する。在圏加入者情報検索処理部３３はＨＬＲ４の情報を基にＭＳＣ３ａ，３ｂ内に在圏するＭＳ８ａ〜１１ａ，８ｂ〜１１ｂの検索を行う。
【００３２】
ＳＭＳメッセージ作成処理部３４はＳＭＳ一斉配信解析処理部３２の解析結果に応じてＳＭＳ一斉配信メッセージの作成を行い、そのメッセージをＩＷＭＳＣ２ａ，２ｂを介してＳＭＳＣ１へ送信する。
【００３３】
ＭＳＣ３ａのＳＭＳ一斉配信解析処理部３２はＳＭＳ受信処理部３１でＳＭＳメッセージが検出されると、そのＳＭＳメッセージに対してＳＭＳ一斉配信メッセージの判定を行う。
【００３４】
ＳＭＳ一斉配信メッセージの判定を行う方法としては、ＳＭＳ一斉配信データＣにおいてＲＰＤＵ（一斉配信表示）Ｃ１がＯＮになっていれば、一斉配信メッセージと認識する方法が考えられる。
【００３５】
ＳＭＳ一斉配信解析処理部３２が受信したＳＭＳメッセージをＳＭＳ一斉配信メッセージであると検出すると、在圏加入者情報検索処理部３３はＨＬＲ４ａに対してＭＳＣ３ａ内に在圏している加入者及び一斉配信が有効のＭＳ８ａ〜１０ａを検索する。
【００３６】
ＳＭＳメッセージ作成処理部３４は在圏加入者情報検索処理部３３での検索結果で有効となったＭＳに対して、ＳＭＳメッセージの複製を行う。そして、従来のＳＭＳの手順にしたがって、ＩＷＭＳＣ２ａを介してＳＭＳＣ１に送信する。ＳＭＳＣ１に送信するショートメッセージを組込むことによって、ＭＳＣ３ａ内で管理される加入者にＳＭＳメッセージを自動的に配信することができる。
【００３７】
図４は図１のＭＳの構成を示すブロック図である。図４において、ＭＳ８はＴＲＸ（無線送受信部）８１と、無線制御部８２と、データ解析部８３と、ＳＭＳデータ解析部８４と、音源データ変換部８５と、音源用デバイス制御部８６と、レシーバ８７と、ＬＣＤ・キー・マイク８８と、操作部８９と、送信データ生成部９０と、外部入力制御部９１とから構成され、外部入力制御部９１を介して外部ＰＣ１６に接続される。尚、図１のＭＳ８ａ〜１１ａ，８ｂ〜１１ｂはこのＭＳ８の構成と同様の構成となっている。。
【００３８】
ＴＲＸ８１及び無線制御部８２が無線回線（図示せず）からＳＭＳ一斉配信メッセージを受信すると、データ解析部８３は受信したデータが有効なデータであるかどうかの解析を行う。ＳＭＳデータ解析部８４はデータ解析部８３で有効なデータであると解析されると、そのデータにおいてＳＭＳ一斉配信の識別子があるか否かの解析を行う。
【００３９】
音源データ変換部８５はＳＭＳデータ解析部８４でＳＭＳ一斉配信の識別子があると解析されると、ＳＭＳ一斉配信メッセージのユーザデータから文字列を抜出し、そのデータを放送用のデータに変換する。音源用デバイス制御部８６は音源データ変換部８５で変換されたデータを音源用デバイス（図示せず）のアーキテクチャへの変換を行い、変換した音声をレシーバ８７から放送する。
【００４０】
キー８８は上記の機能の有効／無効設定を行い、操作部８９は入力されたキーを解析し、有効／無効を判定する。送信データ生成部９０は操作部８９で有効と判定された設定をＭＳＣ３ａに通知するためのデータを作成する。
【００４１】
また、外部入力制御部９１が外部ＰＣ１６から入力されたデータをＭＳ８内に取込むと、送信データ生成部９０は外部入力されたデータをＳＭＳデータフォーマットに変換し、ＳＭＳ一斉配信メッセージを無線制御部８２及びＴＲＸ８１から無線回線へと送信する。
【００４２】
これによって、本実施例ではＭＳ８ａ〜１０ａにおいてＳＭＳ一斉配信を受信してから、受信した文字列を放送用の文章に変換し、その放送用の文章を音声へと変換することが可能となる。
【００４３】
図５は本発明の一実施例によるＳＭＳ一斉配信（ＭＯ：Ｍｏｂｉｌｅ  Ｏｒｉｇｉｎａｔｉｎｇ）の動作を示すシーケンスチャートであり、図６は本発明の一実施例によるＳＭＳ一斉配信（ＭＴ：Ｍｏｂｉｌｅ  Ｔｅｒｍｉｎａｔｉｎｇ）の動作を示すシーケンスチャートであり、図７は図１のＭＳ８ａ〜１１ａ，８ｂ〜１１ｂの動作を示すフローチャートである。これら図１〜図７を参照して本発明の一実施例による移動通信システムの動作について説明する。
【００４４】
ＭＳ１１ａはサーバ１３からＰＣ１２を介して送られてきたデータをＳＭＳとして送信するためにサービス要求をＭＳＣ３ａに送信する（図５のａ１）。その後、ＭＳ１１ａは秘匿、認証を実施した後（図５のａ２）、ショートメッセージ転送要求によってＳＭＳ放送用のデータをＭＳＣ３ａに送信する（図５のａ３）。
【００４５】
ＭＳＣ３ａは上記のメッセージを受信した後、ＨＬＲ４ａへの問合わせによって在圏ＭＳの検索を要求する（図５のａ４）。ＨＲＬは在圏ＭＳの検索が完了すると、トリガ通知によってＭＳＣ３ａに在圏ＭＳの情報を展開する（図５のａ５）。
【００４６】
ＭＳＣ３ａはトリガ分析（ＳＭＳ分析）によって、在圏ＭＳ数のＳＭＳメッセージを複製し（図５のａ６）、ショートメッセージ転送要求によってＩＷＭＳＣ２ａを介してＳＭＳＣ１に送信する（図５のａ７）。
【００４７】
ＳＭＳＣ１はショートメッセージ転送要求の応答として、ショートメッセージ転送応答をＭＳＣ３ａに応答する（図５のａ８）。ＭＳＣ３ａは複製したＳＭＳメッセージが存在する場合、再度、ショートメッセージ転送要求をＳＭＳＣに送信する。ＭＳＣ３ａはこの処理を在圏ＭＳ分だけ行い、在圏ＭＳ分のショートメッセージ転送要求をＳＭＳＣ１に送信する（図５のａ９，ａ１１）。
【００４８】
ＭＳＣ３ａはショートメッセージ転送要求の送信が完了した後、ＳＭＳＣ１からショートメッセージ転送応答を受信すると（図５のａ１０，ａ１２）、ショートメッセージ転送応答をＭＳ１１ａに応答して送信動作を完了する（図５のａ１３）。
【００４９】
ＭＳ１１ａではＳＭＳの一斉配信であることを識別するため、ＳＭＳ一斉配信データＣのフォーマット形式にしたがってメッセージの作成を行う。ＲＰＤＵ（一斉配信表示）Ｃ１をＯＮにした場合には、ＭＳＣ３ａ内での解析処理によって一斉配信メッセージであることを識別することができる。また、ＲＰＤＵ（強制放送フラグ）Ｃ２をＯＮにした場合には、ユーザ設定の有無によらず、強制的にＳＭＳを配信することができる。このＲＰＤＵ（強制放送フラグ）Ｃ２は公共情報等、有事の連絡方法に用いると有効である。
【００５０】
ＳＭＳＣ１は上記のショートメッセージ転送要求を受信すると、ショートメッセージ転送要求をＧＭＳＣ２ａに送信する（図６のｂ１）。ＧＭＳＣ２ａはそのショートメッセージ転送要求を受信すると、ＳＣＰ５ａに対してルーティング情報問合せを送信し、送信先ＭＳが在圏するか確認する（図６のｂ２）。ＧＭＳＣ２ａはＭＳがすでにＭＳＣ３ａ内に在圏しない場合、ＳＣＰ５ａからルーティング情報応答を受信する（図６のｂ３）。
【００５１】
その後、ＧＭＳＣ２ａはＨＬＲ４ａに対して問合せを送信し（図６のｂ４）、ＨＬＲ４ａからトリガ通知を受信すると（図６のｂ５）、着信分析、トリガ分析を行い、ＭＳＣ３ａに在圏しないＭＳのメッセージを削除する（図６のｂ６）。また、ＧＭＳＣ２ａは新たに在圏するＭＳのＳＭＳを複製し、ショートメッセージ転送要求によってＭＳＣ３ａに通知する（図６のｂ７）。
【００５２】
ＭＳＣ３ａは着呼／秘匿／認証において無線回線の接続を行い（図６のｂ８）、その接続の完了後、ショートメッセージ転送要求をＭＳに送信する（図６のｂ９）。ＭＳはＭＳＣ３ａに対して応答としてショートメッセージ転送応答を送信するので（図６のｂ１０）、ＭＳＣ３ａはショートメッセージ転送応答をＧＭＳＣ２ａに送信する（図６のｂ１１）。
【００５３】
また、ＧＭＳＣ２ａは着信者分析アドレス翻訳を実施することによって、着信データ先のＭＳを検索し、検索の完了後、その検索結果をショートメッセージ転送要求によってＭＳＣ３ａに通知し（図６のｂ７）、着呼、秘匿、認証において無線区間を接続する（図６のｂ８）。無線区間の接続後、ＭＳＣ３ａはその旨をメッセージ転送要求によってＭＳに通知する（図６のｂ９）。
【００５４】
ＭＳはこのメッセージを受信すると、メッセージ受信の完了後、ショートメッセージ転送応答をＭＳＣ３ａに応答する（図６のｂ１０）。ＭＳＣ３ａはＭＳからショートメッセージ転送応答を受信すると、ショートメッセージ転送応答をＧＭＳＣ２ａに応答する（図６のｂ１１）。
【００５５】
ＧＭＳＣ２ａはＭＳＣ３ａからのショートメッセージ応答を分析し（図６のｂ１２）、配信成功であれば、ショートメッセージ転送応答をＳＭＳＣ１に応答する（図６のｂ１４）。また、ＧＭＳＣ２ａは配信失敗であれば、ＳＭＳ破棄を実施し（図６のｂ１３）、ショートメッセージ転送応答をＳＭＳＣ１に応答する（図６のｂ１４）。
【００５６】
ＭＳ８ではショートメッセージ転送要求を受信した後（図６のｂ９）、受信データ解析を行い（図７ステップＳ１）、その解析の結果、ＳＭＳメッセージを検出すると（図７ステップＳ２）、受信データ解析を実行する（図７ステップＳ３）。
【００５７】
ＭＳ８は受信データ解析において、ＲＰＤＵ（強制放送フラグ）Ｃ２がＯＮであれば（図７ステップＳ４）、ＳＭＳデータ変換処理において、ＳＭＳメッセージに定義されている文字列を分解し、ＭＳ８内部に保持しているデータに変換して放送用の文章を作成する（図７ステップＳ５）。ＭＳ８は作成した文章を音源用デバイス設定値に変換し（図７ステップＳ６）、その文章を音声にてレシーバ８７またはスピーカ（図示せず）から放送する（図７ステップＳ７）。
【００５８】
ＭＳ８は受信データ解析において、ＲＰＤＵ（強制放送フラグ）Ｃ２がＯＦＦであれば（図７ステップＳ４）、ＬＣＤ表示において文字をＬＣＤ８８に表示する（図７ステップＳ８）。
【００５９】
このように、本実施例は、ＡＭ（Ａｍｐｌｉｔｕｄｅ  Ｍｏｄｕｌａｔｉｏｎ）ラジオ等で放送されている交通渋滞情報を、ＭＳ８ａ〜１１ａ，８ｂ〜１１ｂに搭載されているＳＭＳ（Ｓｈｏｒｔ  Ｍｅｓｓａｇｅ  Ｓｅｒｖｉｃｅ）機能を利用して提供する。
【００６０】
サーバ１３には警察等の交通渋滞情報を発信する側から、ＡＭラジオ放送で発信されている交通情報の内容に相当する情報がインタネットを通して蓄えられている。また、サーバ１３はインタネットを通してＰＣ１２，１４にデータを送信し、ＰＣ１２，１４は受信した情報を図２に示すＳＭＳ一斉配信データＣのフォーマット形式［図２（ａ）参照］に変換し、ＭＳ１１ａ，８ｂに送信する。ＭＳ１１ａ，８ｂはＳＭＳ通信機能を利用して交通情報を送信する。
【００６１】
ＭＳＣ３ａ，３ｂにはＳＭＳ一斉配信制御部（図示せず）が配設され、ＳＭＳ一斉配信制御部によってデータが放送用のＳＭＳと個人に送信するＳＭＳとに分類されて配信される。データが放送用のＳＭＳの場合には、位置登録済みの端末分、ＳＭＳＣ１へＳＭＳ一斉配信メッセージを送信する。
【００６２】
また、サーバ１３はＰＣ１２，１４それぞれの地域Ａ，Ｂにあった交通情報を送信する。地域Ａ，Ｂにあった情報はＳＭＳ送信携帯端末の網において、放送用のＳＭＳに分類され、上記の位置登録済みの端末分、ＳＭＳＣ１へＳＭＳ一斉配信メッセージとして送信される。
【００６３】
ＳＭＳ受信時、ＳＭＳＣ１は既存の機能を用いてＳＭＳ制御を行うことによって、ＭＳＣ３ａ，３ｂのＳＭＳ一斉配信制御部で付加されたアドレスにＳＭＳ一斉配信メッセージを送信する。
【００６４】
ＳＭＳの受信時、ＭＳ８ａ〜１１ａ，８ｂ〜１１ｂにおいては通常のＳＭＳとして受信され、ＳＭＳデータの解析によってＬＣＤ（Ｌｉｑｕｉｄ  Ｃｒｙｓｔａｌ  Ｄｉｓｐｌａｙ）に文字列を表示するか、文字列を解析して放送用の文章に変換し、音源用のデバイス（図示せず）から音声に変換して放送する。
【００６５】
本実施例によって、交通情報等の決められた言葉（例えば、「渋滞情報」、「環８」、「瀬田」、「先頭」、「５Ｋ」等）や情報には、ＳＭＳ通信等の文字に制限があるデータ転送手段を利用しても十分に対応可能であり、既存のシステムを流用することによって安価に機能を実現することができる。
【００６６】
これによって、本実施例では、既存のシステムにおいて、一部のソフト変更のみで、ＭＳ８，８ａ〜１１ａ，８ｂ〜１１ｂによる音声放送において、ラジオ放送と同等の機能を実現することができる。したがって、自動車の運転等のＭＳ８，８ａ〜１１ａ，８ｂ〜１１ｂのブラウザ機能（図示せず）を使用することができないシーンにおいて、ブラウザ機能等によって得られる情報と同等の情報を音声によって入手することができる。
【００６７】
【発明の効果】
以上説明したように本発明は、上記のような構成及び動作とすることで、自動車を運転しながらでも、ブラウザ機能による情報を入手することができるという効果が得られる。
【図面の簡単な説明】
【図１】本発明の一実施例による移動通信システムの構成を示すブロック図である。
【図２】（ａ）は本発明の一実施例によるＳＭＳ一斉配信データＣのフォーマットを示す図、（ｂ）は本発明の一実施例によるＳＭＳデータＤのフォーマットを示す図である。
【図３】図１のＭＳＣの構成を示すブロック図である。
【図４】図１のＭＳの構成を示すブロック図である。
【図５】本発明の一実施例によるＳＭＳ一斉配信（ＭＯ）の動作を示すシーケンスチャートである。
【図６】本発明の一実施例によるＳＭＳ一斉配信（ＭＴ）の動作を示すシーケンスチャートである。
【図７】図１のＭＳの動作を示すフローチャートである。
【符号の説明】
１  ＳＭＳＣ
２ａ，２ｂ  ＧＭＳＣ／ＩＷＭＳＣ
３，３ａ，３ｂ  ＭＳＣ
４ａ，４ｂ  ＨＬＲ
５ａ，５ｂ  ＳＣＰ
６ａ，６ｂ  ＲＮＣ
７ａ，７ｂ  ＢＳ
８，８ａ〜１１ａ，
８ｂ〜１１ｂ  携帯移動端末
１２，１４  ＰＣ
１３  サーバ
１６  外部ＰＣ
３１  ＳＭＳ受信処理部
３２  ＳＭＳ一斉配信解析処理部
３３  在圏加入者情報検索処理部
３４  ＳＭＳメッセージ作成処理部
８１  ＴＲＸ
８２  無線制御部
８３  データ解析部
８４  ＳＭＳデータ解析部
８５  音源データ変換部
８６  音源用デバイス制御部
８７  レシーバ
８８  ＬＣＤ・キー・マイク
８９  操作部
９０  送信データ生成部
９１  外部入力制御部
Ａ，Ｂ  地域
Ｃ  ＳＭＳ一斉配信データ
Ｃ１  ＲＰＤＵ（一斉配信表示）
Ｃ２  ＲＰＤＵ（強制放送フラグ）
Ｄ  ＳＭＳデータ
【図１】
2004363837.tif 000003
【図２】
2004363837.tif 000004
【図３】
2004363837.tif 000005
【図４】
2004363837.tif 000006
【図５】
2004363837.tif 000007
【図６】
2004363837.tif 000008
【図７】
2004363837.tif 000009